(57)【特許請求の範囲】
【請求項１】
略円筒形状の物品を寝かせた状態で載置可能な少なくとも１つの棚部材と、左右に配置され前面に複数の係止孔が上下方向に設けられる支柱と、該支柱に前記棚部材を取り付けるための左右に配置されるブラケットと、を備える物品陳列什器であって、
前記棚部材は、前記物品の側部を載置可能な載置部と、前記載置部の上面に形成される載置面の延長方向上方で前記物品の底部を支持する底部支持杆と、前記載置部の端部と前記底部支持杆との間に前記載置面の延長方向に所定間隔の空間が設けられるように、前記載置部と前記底部支持杆とをそれぞれの両端で支持する左右の側縁部材と、からなるとともに、前記側縁部材の上端には外側に下向きＬ字状に延び前記ブラケットに遊嵌される折り曲げ部と、前記ブラケットの後方上端と係止する係止部を備え、
前記ブラケットの後端には、前記支柱の上下方向に設けられた係止孔に係止する係止片を選択することにより前記ブラケットの取付角度を変更可能とする複数の係止片が上下方向に設けられていることを特徴とする物品陳列什器。
【請求項２】
前記底部支持杆は、少なくとも前記物品との接触面が曲面であることを特徴とする請求項１に記載の物品陳列什器。
【請求項３】
前記載置部の端部と前記底部支持杆は、共に少なくとも前記物品との接触面が曲面であることを特徴とする請求項１または２に記載の物品陳列什器。
【請求項４】
前記底部支持杆は、前記載置部の端部の両側縁からそれぞれ延出する延出部に固定されていることを特徴とする請求項１ないし３のいずれかに記載の物品陳列什器。
【請求項５】
前記延出部は、前記載置部の端部両側縁からそれぞれ上方に傾斜するように直線状に形成されることを特徴とする請求項４に記載の物品陳列什器。
【発明の詳細な説明】
【技術分野】
【０００１】
本発明は、物品を陳列するために用いられる物品陳列什器に関する。
【背景技術】
【０００２】
デパートやスーパーマーケット、コンビニエンスストア等の売り場には、物品を陳列する物品陳列什器が配置されている。このような物品陳列什器には、例えば、特許文献１に開示されているような技術が採用されている。特許文献１によれば、ショーケース（物品陳列什器）は、前面に開口を有し、商品（物品）を冷却することができる陳列室内に複数段架設される商品陳列用の棚装置（棚部材）を備え、棚装置は、左右一対のブラケットと、該ブラケットに対してそれぞれ傾斜角度自在に設けられる角度調整機構と、該角度調整機構に差し渡して取り付けられる棚板と、から主に構成されている。また、棚板は、商品が載置される商品載置面と、棚板の前端に立設され商品の落下を防止する板状のガードと、棚板の後端及び両側端に立設され商品の後方及び側方への移動を規制する保持部材と、から構成され、陳列室内に棚装置が傾斜して架設される場合には、棚装置の傾斜により棚板の前端側に商品が移動しても棚板の前端に立設されるガードによって保持されるようになっている。
【先行技術文献】
【特許文献】
【０００３】
【特許文献１】特開２０１０−１１９４５７号公報（第５頁、第１図）
【発明の概要】
【発明が解決しようとする課題】
【０００４】
しかしながら、特許文献１にあっては、陳列室内に傾斜させて複数段架設された棚装置に対して、瓶や缶等の長尺部分を有する略円筒形状の商品、例えば、ワインボトルが平板状の棚板の前端に立設されるガードに底部を保持された状態で寝かせて複数並べて陳列された場合、ワインボトルの取り出しは種々の方式が有り得るが、ワインボトルの上部を把持してボトル底部外縁の下方側を支点にして手前側にある程度回動させた後、詳細には、ボトル底部外縁の下方側を平板状の棚板の商品載置面に接触させた状態である程度回動させた後、ワインボトルを上方に持ち上げた状態で手前側に移動させて取り出す方式が一般的である。このように、ワインボトルを棚装置上で手前側に回動させて前端側に起き上がらせるためには、棚装置よりも上方に広い空間が必要となり、上下の棚装置間が広くなることで陳列室内に陳列できるワインボトルが少なくなり、陳列室内の空間を有効利用できないという問題があった。一方、上下の棚装置間を狭くすれば陳列できるワインボトルは多くできるものの、ワインボトルを棚装置上で手前側に回動させる角度が小さくなって、ワインボトルを円滑に起き上がらせることができず、ワインボトルを取り出すことが困難となるという問題があった。
【０００５】
本発明は、このような問題点に着目してなされたもので、棚部材に寝かせた状態で載置される略円筒形状の物品を棚部材上で円滑に起き上がらせて取り出すことができる物品陳列什器を提供することを目的とする。
【課題を解決するための手段】
【０００６】
前記課題を解決するために、本発明の物品陳列什器は、
略円筒形状の物品を寝かせた状態で載置可能な少なくとも１つの棚部材と、左右に配置され前面に複数の係止孔が上下方向に設けられる支柱と、該支柱に前記棚部材を取り付けるための左右に配置されるブラケットと、を備える物品陳列什器であって、
前記棚部材は、前記物品の側部を載置可能な載置部と、前記載置部の上面に形成される載置面の延長方向上方で前記物品の底部を支持する底部支持杆と、前記載置部の端部と前記底部支持杆との間に前記載置面の延長方向に所定間隔の空間が設けられるように、前記載置部と前記底部支持杆とをそれぞれの両端で支持する左右の側縁部材と、からなるとともに、前記側縁部材の上端には外側に下向きＬ字状に延び前記ブラケットに遊嵌される折り曲げ部と、前記ブラケットの後方上端と係止する係止部を備え、
前記ブラケットの後端には、前記支柱の上下方向に設けられた係止孔に係止する係止片を選択することにより前記ブラケットの取付角度を変更可能とする複数の係止片が上下方向に設けられていることを特徴としている。
この特徴によれば、棚部材の載置部に寝かせた状態で載置される略円筒形状の物品の上部を持って該物品を手前側に回動させると、該物品の側部周面と載置部の端部との接点を支点にして起き上がらせることにより、載置部の端部と底部支持杆との間に設けられる空間において、物品の底部外縁の下方側を載置部の載置面よりも下方に突出させながら回動させることができるため、物品の底部外縁が載置面に接触することなく円滑に物品を起き上がらせて取り出すことができる。
【０００７】
前記底部支持杆は、少なくとも前記物品との接触面が曲面であることを特徴としている。
この特徴によれば、底部支持杆は、曲面を成しているので、物品を起き上がらせる際に物品の底部と底部支持杆との接触が少なくなり、物品の底部を円滑に摺動させることができる。
【０００８】
前記載置部の端部と前記底部支持杆は、共に少なくとも前記物品との接触面が曲面であることを特徴としている。
この特徴によれば、物品を起き上がらせる際に物品が接触する載置部の端部と底部支持杆が共に曲面を成しているので、物品の側部周面と載置部及び物品の底部と底部支持杆との接触が少なくなり、物品を円滑に摺動させることができる。
【０００９】
前記底部支持杆は、前記載置部の端部の両側縁からそれぞれ延出する延出部に固定されていることを特徴としている。
この特徴によれば、載置部に載置される物品の側部周面の底部側を延出部により支持することができるので、物品を安定して載置することができる。
【００１０】
前記延出部は、前記載置部の端部両側縁からそれぞれ上方に傾斜するように直線状に形成されることを特徴としている。
この特徴によれば、載置部に載置される物品の側部周面の底部側を延出部により支持することができるとともに、延出部によって物品の側部が遮られる部分の面積を小さくすることができるので、物品の側方からの視認性を向上させることができる。
【００１１】
前記棚部材は、支持部材を介して前記支柱に取り付けられることを特徴としている。
この特徴によれば、載置される物品の大きさに合わせて、支持部材に取り付けられる棚部材を変更しやすくすることができ、施工性を向上させることができる。
【図面の簡単な説明】
【００１２】
【図１】実施例１における物品陳列什器を示す斜視図である。
【図２】実施例１における陳列棚部の構造を示す部分分解斜視図である。
【図３】（ａ）は、実施例１における側縁部材の構造を側方から見た部分断面図であり、（ｂ）は、実施例１における側縁部材がブラケットに掛着される構造を側方から見た部分断面図である。
【図４】（ａ）ないし（ｃ）は、内箱の壁部に対する傾斜角度を段階的に変更させて取り付けられた陳列棚部を示す側面図である。
【図５】実施例１における陳列棚部の構造を示す部分正面図である。
【図６】（ａ）ないし（ｃ）は、実施例１における陳列棚部に陳列されるワインボトルの取り出し手順を示す側面図である。
【図７】（ａ）及び（ｂ）は、実施例１における棚部材の変形例を示す側面図である。
【図８】実施例２における物品陳列什器を示す斜視図である。
【発明を実施するための形態】
【００１３】
本発明に係る物品陳列什器を実施するための形態を実施例に基づいて以下に説明する。
【実施例１】
【００１４】
実施例１に係る物品陳列什器につき、図１から図７を参照して説明する。以下、図１の画面左側を物品陳列什器の正面側（前方側）とし、図１の画面右側を物品陳列什器の背面側（後方側）とし、その前方側から見たときの上下左右方向を基準として説明する。
【００１５】
本実施例の物品陳列什器１は、例えば、デパートやスーパーマーケット等の売り場やレストラン等に設置され、ワインの品質を維持することができる適正な温度及び湿度等に庫内環境が管理された状態で複数のワインボトル５，５，…を陳列することができるようになっている。
【００１６】
図１に示されるように、物品陳列什器１は、ワインの品質を維持することができる適正な温度及び湿度等に庫内環境を管理可能な冷蔵ショーケース２と、冷蔵ショーケース２の庫内に設けられ複数のワインボトル５，５，…を陳列可能な複数の陳列棚部３，３，…と、から主に構成されている。
【００１７】
図１及び図２に示されるように、冷蔵ショーケース２は、前面が開放された略コ字形を成す断熱構造の外箱２１と、該外箱２１の内方に設けられ同じく前面が開放された略コ字形を成す断熱構造の内箱２２と、から構成されるケース本体２０と、ケース本体２０の下方に内蔵される図示しない冷却装置と、から主に構成されている。尚、内箱２２は、後述する吹出口２２ａを有する上壁と、後述する背面側の壁部２２ｂと、図示しない一対の側壁及び底板と、から構成され、前面が開放された箱状体となっている。また、冷蔵ショーケース２の外箱２１の下面側には四隅にアジャスタ４，４，…が設けられており、アジャスタ４，４，…の高さをそれぞれ調整することにより、設置場所に関わらず冷蔵ショーケース２を水平な状態で設置できるようになっている。
【００１８】
尚、冷却装置は、図示しない圧縮機、凝縮器、蒸発器、膨張弁と、これらを接続する冷媒配管により構成され、冷蔵ショーケース２内において蒸気圧縮式の冷凍サイクルを繰り返し行うことにより内箱２２の内方に形成される庫内を冷却しているものである。また、冷却装置は、図示しない制御装置によりワインの保管に適正な庫内温度が維持されるように冷凍サイクルの調整が行われている。
【００１９】
ケース本体２０は、外箱２１と内箱２２との間に図示しない通風路が形成されており、該通風路には、上述した冷凍サイクルを構成する蒸発器が配設され、該蒸発器により冷却された通風路内の空気は、図示しない送風機により内箱２２の内方に形成される庫内へと送られている。尚、内箱２２の内方上部には、通風路と連通する吹出口２２ａ（図２参照）が形成されており、通風路から送られてくる冷気が吹出口２２ａから庫内に送り込まれる構造になっている。
【００２０】
また、ケース本体２０の開口前面には、観音開き式に開閉される開き戸２３，２３が取り付けられている。開き戸２３，２３は、透明のガラス板２３ａ，２３ａと、開閉用の把持部２３ｂ，２３ｂと、から構成され、開き戸２３，２３が閉められ、ケース本体２０の前面の開口が閉塞された状態において、庫内温度の変化をできる限り抑えられるように庫内の気密性が保たれるように取り付けられている。尚、ワインの保管は暗所が好ましいことから、ガラス板２３ａ，２３ａには、庫内で陳列されるワインボトル５，５，…が視認できる程度の遮光性を有するものが使用されてもよい。また、透明のガラス板２３ａ，２３ａに遮光シートを貼り付けるようにしてもよい。
【００２１】
図２に示されるように、冷蔵ショーケース２の庫内を構成する内箱２２の背面側の壁部２２ｂは、左右一対の支柱と、板材と、から主に構成され、壁部２２ｂの支柱には、前面の左右側端縁にそれぞれ複数の係止孔２２ｃ，２２ｃ，…が上下に所定間隔置きに設けられている。係止孔２２ｃ，２２ｃ，…には、後述する陳列棚部３を構成するブラケット３０の後端に設けられる係止片３０ｂ，３０ｂ，…が係止可能となっており、該係止片３０ｂ，３０ｂ，…を係止孔２２ｃ，２２ｃ，…に係止させることにより、陳列棚部３，３…を内箱２２の壁部２２ｂに対して所望の高さ、傾斜角度、数で取り付けられるようになっている。
【００２２】
図２及び図３に示されるように、陳列棚部３は、内箱２２の壁部２２ｂの前面左右側端縁に設けられる係止孔２２ｃ，２２ｃ，…に係止される左右一対のブラケット３０，３０と、該ブラケット３０，３０によって支持される棚部材３１と、から構成されている。
【００２３】
図２及び図３（ｂ）に示されるように、略三角形のブラケット３０は、棚部材３１の左右端部に設けられる後述する側縁部材３２の掛着部３２ｃが上方から掛着される上縁部３０ａと、ブラケット３０の後端に設けられる係止片３０ｂ，３０ｂ，…と、から主に構成されており、上縁部３０ａの後端側には、下向きＬ字状の切欠部３０ｃが設けられている。尚、ブラケット３０は、ステンレス板の打抜き加工により成形される。
【００２４】
切欠部３０ｃには、棚部材３１の左右端部に設けられる後述する側縁部材３２の突片３２ｄが挿入可能となっており、切欠部３０ｃに突片３２ｄが嵌挿された状態において、突片３２ｄは、下向きＬ字状の切欠部３０ｃと接触することにより上方及び前方への移動が規制されるため、棚部材３１がブラケット３０に支持された状態で外れ難くなっている。尚、後述するように、ブラケット３０は、内箱２２の壁部２２ｂに対して水平から下方に向けて傾斜するように取り付けられるため、棚部材３１は、重力によってブラケット３０に対して前方側に移動し、切欠部３０ｃに突片３２ｄが嵌挿された状態が維持されるので棚部材３１がブラケット３０に支持された状態でより外れ難くなっている。また、棚部材３１をブラケット３０から取り外す際には、棚部材３１をブラケット３０の後端側に向けて押し込んだ後に上方へ持ち上げることにより突片３２ｄを切欠部３０ｃから抜き取ることができるようになっている。
【００２５】
係止片３０ｂ，３０ｂ，…は、ブラケット３０の後端の所定の位置に上下に４つ設けられ、係止片３０ｂ，３０ｂ，…には、それぞれ固有の凹凸が形成されている。これによれば、図４（ａ）ないし（ｃ）に示されるように、内箱２２の壁部２２ｂに設けられる係止孔２２ｃ，２２ｃ，…に係止される係止片３０ｂ，３０ｂ，…の凹凸の組み合わせにより、内箱２２の壁部２２ｂに対するブラケット３０の取り付け角度を適宜変更できるようになっている。図４（ａ）は、内箱２２の壁部２２ｂに対して水平から下方に向けて８度、図４（ｂ）は、内箱２２の壁部２２ｂに対して水平から下方に向けて１６度、図４（ｃ）は、内箱２２の壁部２２ｂに対して水平から下方に向けて２４度、それぞれブラケット３０の取り付け角度が変更された状態を示している。尚、本実施例において、陳列棚部３は、内箱２２の壁部２２ｂに対して水平から下方に向けて所定角度傾斜させた状態で取り付けられる態様として説明するが、陳列棚部３は、内箱２２の壁部２２ｂに対して水平に取り付けられてもよい。
【００２６】
図２及び図３（ａ）に示されるように、棚部材３１は、ブラケット３０の上縁部３０ａに掛着される左右一対の側縁部材３２，３２と、該側縁部材３２，３２を連結する複数の棒状部材３３，３３，…及び底部支持杆３４と、から主に構成されている。
【００２７】
図３（ａ）に示されるように、側縁部材３２は、棚部材３１の左右端を構成しており、先端が上方に向けて所定角度（本実施例では約４５度）傾斜するように延出する延出部３２ａと、ブラケット３０の上縁部３０ａに上方から掛着された状態でブラケット３０に沿うように配置される基部３２ｂ（図３（ｂ）参照）と、基部３２ｂの上縁から前後方向に所定の長さ延設される正面視下向きＬ字状の掛着部３２ｃと、から主に構成されている。また、基部３２ｂの後端側の側面からは、掛着部３２ｃの内方で左右方向に突出し、ブラケット３０の切欠部３０ｃに嵌挿される突片３２ｄが形成されている。尚、側縁部材３２は、ステンレス板の打抜き加工及び曲げ加工等により成形される。
【００２８】
延出部３２ａは、先端に向けて先細りするように形成され、左右一対の側縁部材３２，３２の延出部３２ａ，３２ａは、先端側で底部支持杆３４により連結されている。底部支持杆３４の両端には、それぞれ図示しないネジ孔が設けられており、延出部３２ａ，３２ａの先端近傍に穿設された図示しない孔から挿入されたボルト６，６により左右一対の延出部３２ａ，３２ａにそれぞれ螺合されている（図２参照）。尚、底部支持杆３４は、側縁部材３２，３２の延出部３２ａ，３２ａの先端近傍に溶接等によって取り付けられていてもよい。
【００２９】
図４及び図５に示されるように、底部５ａを前面に向け、側部周面５ｂの前面側に貼られるラベル５ｃを上方に向けた状態で陳列棚部３に陳列されるワインボトル５は、底部５ａを底部支持杆３４により支持されるので、陳列棚部３に陳列されたワインボトル５が前方側に抜け落ちないようになっている。また、ワインボトル５は、底部支持杆３４により底部５ａをワインボトル５の軸方向の中心よりも上方の位置で支持されているので、ワインボトル５が底部支持杆３４を越えて前方側に落下し難くなっている。尚、底部支持杆３４の高さ位置は、ワインボトル５が前方側に抜け落ちない位置であればよく、例えば、ワインボトル５の底部の軸方向の中心の高さ位置であってもよい。さらに、ワインボトル５の底部５ａが底部支持杆３４のみで支持されているので、陳列されるワインボトル５の底部５ａが見えやすくなり、ワインボトル５が棚部材３１の所定の位置に載置されているかを判別しやすくなっており、落下等の危険性を低減することができる。尚、底部支持杆３４は、ステンレスの押出し成形品であり、略円筒形状を成している。
【００３０】
左右一対の側縁部材３２，３２の基部３２ｂ，３２ｂは、前端から後端に亘って上下中央の所定位置で４本の棒状部材３３，３３，…（前端側の棒状部材３３’を含む）によりそれぞれ連結されている。棒状部材３３，３３，…の両端には、それぞれ図示しないネジ孔が設けられており、基部３２ｂ，３２ｂの所定位置に穿設された図示しない孔から挿入されたボルト６，６，…により基部３２ｂ，３２ｂとそれぞれ螺合されている。尚、底部支持杆３４は、側縁部材３２，３２基部３２ｂ，３２ｂの所定位置に溶接等によって取り付けられていてもよい。
【００３１】
４本の棒状部材３３，３３，…は、直線状に配置されており、棒状部材３３，３３，…の上部を結んで規定される面が棚部材３１の実質的な載置面３１ａ（図２参照）（本発明の載置部の上面に形成される載置面）を形成しており、ワインボトル５の側部周面５ｂを下方から支持できるようになっている。また、載置面３１ａが棒状部材３３，３３，…により構成されるので、ワインボトル５の周面と載置面３１ａとの接触が少なくなり、ワインボトル５の側部周面５ｂや側部周面５ｂの背面側に貼られる図示しないラベルを傷つき難くすることができる。尚、図３（ｂ）に示されるように、４本の棒状部材３３，３３，…は、前方側が水平から下方に向けて若干傾斜するように直線状に設けられており、陳列棚部３が内箱２２の壁部２２ｂに対して水平に取り付けられた場合であっても４本の棒状部材３３，３３，…により形成される載置面３１ａが傾斜した状態となるので、重力によって前方側に移動するワインボトル５の底部５ａを底部支持杆３４によって常に支持できるようになっている。また、棒状部材３３，３３，…は、ステンレスの押出し成形品であり、略円筒形状を成している。
【００３２】
また、棚部材３１の載置面３１ａを形成する棒状部材３３，３３，…と底部支持杆３４は、同一の側縁部材３２，３２に固定されているので、棚部材３１の構造強度が高められ、ワインボトル５，５，…を安定して棚部材３１に載置することができ、且つ、棚部材３１を軽量化することができる。
【００３３】
また、棚部材３１の載置面３１ａが、前後に所定間隔置きに設けられる棒状部材３３，３３，…により構成されるので、棚部材３１に陳列されるワインボトル５，５，…にディスプレイ用の照明光を拡散、あるいは透過させることができるので、ディスプレイ効果を高めた陳列を行うことができる。
【００３４】
次いで、陳列棚部３に陳列されるワインボトル５の取り出し方法について図６を参照して説明する。図６（ａ）に示されるように、陳列棚部３の棚部材３１の載置面３１ａに載置され、底部支持杆３４によりワインボトル５の底部５ａが支持されている状態において、ワインボトル５の側部周面５ｂは、棒状部材３３，３３，…によって載置支持されている。このとき、ワインボトル５の側部周面５ｂを載置支持する棚部材３１の実質的な載置面３１ａの前端は、棚部材３１の前方側に設けられる棒状部材３３’の上部となっている。すなわち、底部支持杆３４と棒状部材３３’の間には、所定間隔αが形成されており、棚部材３１の載置面３１ａに載置されたワインボトル５は、底部支持杆３４と棒状部材３３’の間に形成される所定間隔αを開口とし、棚部材３１の載置面３１ａを延長した仮想載置面Ｓとの間に相当する空間Ｘから底部５ａの一部が突出した状態で底部支持杆３４により底部５ａを支持された状態となっている。
【００３５】
まず、陳列棚部３に陳列されるワインボトル５の取り出す際には、図６（ｂ）に示されるように、棚部材３１の載置面３１ａに載置されたワインボトル５を取り出すためにワインボトル５の上部側を持ち上げることにより、空間Ｘにおいてワインボトル５の底部５ａ及び側部周面５ｂの下方側を仮想載置面Ｓから下方に向けて突出させながら回動させることができるので、ワインボトル５の底部５ａの下方外縁が棚部材３１の載置面３１ａに接触することなく円滑にワインボトル５の上端側を持ち上げることができる。また、このとき、ワインボトル５の底部５ａ側は下方に向けて下がった状態となるため、ワインボトル５の底部５ａが下方側の棚板等に接触した場合と比べて、ワインボトル５を傾けるために必要なワインボトル５の上端の上方への動きを小さく抑えることができる。
【００３６】
次に、図６（ｃ）に示されるように、ワインボトル５の上端側をさらに持ち上げることにより、ワインボトル５の底部５ａは、底部支持杆３４に接触しながら摺動され、同時にワインボトル５の側部周面５ｂは、棒状部材３３’に接触しながら摺動される。このとき、底部支持杆３４と棒状部材３３’の間に形成された所定間隔αは、ワインボトル５の底部５ａの直径よりも小さく設けられているため、ワインボトル５が前方側に抜け落ちないようになっている。尚、図６（ｃ）においては、ワインボトル５の側部周面５ｂの下端が棒状部材３３’に接触している状態で前方側に取り出す態様として図示しているが、図６（ｃ）に示される状態からワインボトル５の上端側をさらに持ち上げることにより、ワインボトル５の側部周面５ｂは、棒状部材３３’に接触しなくなり、ワインボトル５の底部５ａのみが底部支持杆３４に接触し、底部支持杆３４上にワインボトル５の底部５ａが載置された状態となるので、ワインボトル５をそのまま前方側に取り出しやすくなっている。
【００３７】
また、底部支持杆３４及び棒状部材３３’が略円筒形状であるため、ワインボトル５との接触部分が曲面を成しており、ワインボトル５と底部支持杆３４及び棒状部材３３’との接触が少なくなり、ワインボトル５を底部支持杆３４及び棒状部材３３’に接触させた状態で円滑に摺動させることができる。
【００３８】
以上説明したように、本実施例における物品陳列什器１は、陳列棚部３に陳列されるワインボトル５を棚部材３１の底部支持杆３４及び棒状部材３３，３３，…により支持するとともに、棚部材３１の実質的な載置面３１ａを構成し、載置面３１ａの前端に相当する棒状部材３３’と底部支持杆３４との間に形成された所定間隔αを開口として載置面３１ａの延長方向に空間Ｘが設けられているので、陳列棚部３に陳列されるワインボトル５を取り出すために、ワインボトル５の側部周面５ｂと棒状部材３３’との接点を支点にしてワインボトル５を起き上がらせることにより、棒状部材３３’と底部支持杆３４との間に設けられる空間Ｘにおいて、ワインボトル５の底部５ａの下方外縁を載置面３１ａよりも下方に突出させながら回動させワインボトル５の上端側を持ち上げることができるので、ワインボトル５の上端側への突出量が少なくなることで上方への移動軌跡を小さくでき、陳列棚部３の上下の取り付け間隔が狭くてもワインボトル５を取り出しやすくすることができる。
【００３９】
また、陳列棚部３の左右端に陳列されるワインボトル５，５の側部周面５ｂの底部５ａ側は、陳列棚部３を構成する棚部材３１の左右一対の側縁部材３２，３２の先端に設けられる延出部３２ａ，３２ａによってそれぞれ支持されるので、棚部材３１にワインボトル５，５，…を安定して載置することができる（図５参照）。
【００４０】
また、図３及び図５に示されるように、棚部材３１は、側縁部材３２，３２の掛着部３２ｃと、掛着部３２ｃの内方に設けられる突片３２ｄにより、内箱２２の壁部２２ｂに対して取り付けられた左右一対のブラケット３０，３０に掛着された状態を保持することができるため、陳列棚部３に陳列される物品の規格に合わせて棚部材３１を変更しやすくなっている。
【００４１】
次いで、棚部材３１の変形例について図７を参照して説明する。尚、変形例における棚部材の左右一対のブラケット及び側縁部材の構成は略同一であることから、一方のブラケット及び側縁部材の構成について説明し、他方の説明は省略する。また、図７（ａ）は、棚部材３１の変形例１を示しており、図７（ｂ）は、棚部材３１の変形例２を示している。
【００４２】
図７（ａ）に示されるように、変形例１の棚部材３１１は、ブラケット３０１の先端が上方に向けて所定角度傾斜するように延出部３０１ａが延出しており、ブラケット３０１の延出部３０１ａ先端近傍は、底部支持杆３４により連結されている。また、ブラケット３０１の前端側は、棒状部材３３’により連結されている。また、ブラケット３０１の上縁部３０１ｂには、前述した側縁部材３２における延出部３２ａの構成が省略された側縁部材３２１が掛着され、ブラケット３０１の前端側を連結する棒状部材３３’及び３本の棒状部材３３，３３，…により棚部材３１１における実質的な載置面が形成されている。これによれば、棚部材３１１は、前述した棚部材３１による構成と同様の作用・効果を得ることができる。
【００４３】
図７（ｂ）に示されるように、変形例２の棚部材３１２は、ブラケット３０２の先端が上方に向けて所定角度傾斜するように延出部３０２ａが延出しており、ブラケット３０２の延出部３０２ａ先端近傍は、底部支持杆３４により連結されている。また、ブラケット３０２の基部３０２ｂは、前端から後端に亘って上下中央の所定位置で４本の棒状部材３３，３３，…（前端側の棒状部材３３’を含む）によりそれぞれ連結されており、ブラケット３０２を連結する４本の棒状部材３３，３３，…により実質的な載置面が形成されている。これによれば、棚部材３１２は、棚部材とブラケットが一体となっていることから、陳列される物品の規格に合わせて棚部材３１を変更することができない点を除いて、前述した棚部材３１による構成と同様の作用・効果を得ることができる。
【実施例２】
【００４４】
次に、実施例２に係る物品陳列什器につき、図８を参照して説明する。実施例２は、実施例１の物品陳列什器の冷蔵ショーケース２の構成を変更し、室温で保管されるワインボトル５が陳列される物品陳列什器として使用されるものである。尚、前記実施例に示される構成部分と同一構成部分に付いては同一符号を付して重複する説明を省略する。
【００４５】
図７に示されるように、本実施例における物品陳列什器１０１は、背面以外が開放されるように構成された枠体１０２と、枠体１０２の背面の壁部１０２ａに取り付けられ複数のワインボトル５，５，…を陳列可能な複数の陳列棚部３，３，…と、から主に構成されている。
【００４６】
枠体１０２は、物品陳列什器１０１の背面を構成し、矩形枠に板材が嵌め込まれることにより構成される壁部１０２ａと、該壁部１０２ａの前方に立設する左右一対の支柱１０２ｂ，１０２ｂと、該壁部１０２ａの前面の上部左右両端と支柱１０２ｂ，１０２ｂの上部をそれぞれ連結する上部連結杆１０２ｃ，１０２ｃと、壁部１０２ａの前面の下部左右両端と支柱１０２ｂ，１０２ｂの下部をそれぞれ連結する下部連結杆１０２ｄ，１０２ｄと、支柱１０２ｂ，１０２ｂの下部を連結する前部連結杆１０２ｅと、壁部１０２ａ及び下部連結杆１０２ｄ，１０２ｄ及び前部連結杆１０２ｅにより囲まれる部分に設けられる底板１０２ｆと、前部連結杆１０２ｅの上部に取り付けられる前部保護板１０２ｇと、下部連結杆１０２ｄ，１０２ｄの上部にそれぞれ取り付けられる側部保護板１０２ｈ，１０２ｈと、から構成されている。
【００４７】
枠体１０２は、背面以外が開放されるように構成されており、物品陳列什器１０１の陳列棚部３，３，…に陳列されるワインボトル５，５，…を前方及び側方から見ることができるようになっている。
【００４８】
陳列棚部３，３，…の左右端に陳列されるワインボトル５，５，…の側部周面５ｂは、陳列棚部３，３，…を構成する左右一対の側縁部材３２，３２の先端に設けられ、上方に向けて所定角度傾斜するように延出する延出部３２ａ，３２ａに支持されることにより、枠体１０２の外に出るような側方への移動が規制される（図５参照）。これによれば、陳列棚部３，３，…に陳列されるワインボトル５，５，…は、底部５ａ側の側部周面５ｂのみを側縁部材３２，３２の延出部３２ａ，３２ａにより支持されることで安定して陳列することができるので、陳列棚部３，３，…に陳列されるワインボトル５，５，…の側部を隠すような大きな側壁を設ける必要がなく、物品陳列什器１０１の側方から陳列棚部３，３，…に陳列されるワインボトル５，５，…の視認性を高めることができる（図４及び図６参照）。
【００４９】
また、側縁部材３２の延出部３２ａは、先端に向けて先細りするように形成されているので、延出部３２ａの面積を小さくすることができ、物品陳列什器１０１の側方から陳列棚部３，３，…に陳列されるワインボトル５，５，…の視認性をより高めることができる（図３及び図４参照）。
【００５０】
また、側縁部材３２の上縁は、棒状部材３３，３３，…が形成する載置面３１ａよりも上方に位置するように構成されているので、棚部材３１の載置面３１ａに載置されるワインボトル５，５，…の側方への動きが規制され、ワインボトル５，５，…の側方への落下を防ぐことができる（図３及び図４参照）。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、棚部材３１の載置面３１ａが棒状部材３３，３３，…により形成されている態様として説明したが、これに限らず、載置面３１ａは面を有する板状の部材によって構成されてもよい。この場合にも載置面３１ａの前端が曲面を形成していることが好ましい。
【００５３】
また、前記実施例では、空間Ｘを構成する棚部材３１の載置面３１ａの仮想載置面Ｓが下方に開放している態様として説明したが、これに限らず、ワインボトル５の底部５ａ及び側部周面５ｂの下方側を突出させることができれば、空間Ｘを構成する棚部材３１の載置面３１ａの仮想載置面Ｓが下方に開放していなくてもよく、例えば、棚部材３１の載置面の前端には、下方に向けて所定寸法下げられた段部が設けられていてもよい。
【００５４】
また、略円筒形状の物品であれば、陳列棚部３には、瓶や缶等が陳列されてもよい。
【符号の説明】
【００５５】
１                物品陳列什器 
２                冷蔵ショーケース
３                陳列棚部
４                アジャスタ
５                ワインボトル
５ａ              底部
５ｂ              側部周面
５ｃ              ラベル
２０              ケース本体
２１              外箱
２２              内箱
２２ａ            吹出口
２２ｂ            壁部
２２ｃ            係止孔
３０              ブラケット
３０ａ            上縁部
３０ｂ            係止片
３０ｃ            切欠部
３１              棚部材
３１ａ            載置面
３２              側縁部材
３２ａ            延出部
３２ｂ            基部
３２ｃ            掛着部
３２ｄ            突片
３３，３３’      棒状部材
３４              底部支持杆
Ｓ                仮想載置面
Ｘ                空間
【図１】
0006703413.tif 000002
【図２】
0006703413.tif 000003
【図３】
0006703413.tif 000004
【図４】
0006703413.tif 000005
【図５】
0006703413.tif 000006
【図６】
0006703413.tif 000007
【図７】
0006703413.tif 000008
【図８】
0006703413.tif 000009